(57)【要約】【課題】冷房時および除湿時において、室内側ユニットの筐体外壁面の結露を、環境負荷の高い発泡スチロールを使用せず、低コストで実現する。【解決手段】冷凍サイクル部・風回路部・制御装置部から構成される室内側ユニットで、除湿用絞り部および配管部の近傍に、壁面１ａを設けることとした。【選択図】　図１
2004036939.tif 000002
【特許請求の範囲】
【請求項１】
室内側熱交換器および室内側熱交換器から延出し且つ室外側と接続され冷媒が流動する配管部からなる室内側冷凍サイクル部と、前記室内側冷凍サイクル部を懸下し支持する台枠と、室内側空気吸込み口と、前記室内側熱交換器と前記台枠と前記吹出し口から構成される室内側風回路と、制御装置から構成される空気調和機において、前記配管部の近傍に、結露水を受けて流下する第１の壁面を、その長手方向が地面に対し略鉛直方向で、且つ前記台枠の側壁と距離をおいて設けたことを特徴とする空気調和機。
【請求項２】
結露水を受けて流下する第１の壁面の一部に切欠き部を設けたことを特徴とする請求項１記載の空気調和機。
【請求項３】
結露水を受けて流下する第１の壁面の下方に位置し、前記第１の壁面からの結露水を受けて流下する第２の壁面を設けたことを特徴とする請求項１または請求項２記載の空気調和機。
【請求項４】
結露水を受けて流下する第１の壁面の下方に位置し、前記第１の壁面からの結露水を受けて流下する第２の壁面内で結露水が流下する経路の途中に、前記結露水の流下速度を低下させる面状部を第２の壁面に一体に形成したことを特徴とする請求項１乃至請求項３のいずれかに記載の空気調和機。
【発明の詳細な説明】
【０００１】
【発明の属する技術分野】
本発明は、空気調和機に関するもので、空気調和機の内部に発生する結露水の排出の構成に関するものである。
【０００２】
【従来の技術】
従来の空気調和機の構造について、除湿機能をもつ分離型空気調和機を例にとり、図６を参照しつつ説明する。
【０００３】
室内ユニット本体は風回路の一部を成す台枠１、前面グリル（図示せず）からなる筐体内に、室内側熱交換器２、除湿用絞り部３を有する配管部３ａ、吹出口４、制御部（図示せず）、送風用ファン及びファンモーター（図示せず）、水受皿５等の部品から構成される。
【０００４】
ここで、空気調和機の働きについて簡単に説明する。
【０００５】
図７は冷凍サイクルの回路図である。１０は圧縮機、１１は四方弁、１２は室外側熱交換器、１３は絞り部、１４は第１の室内側熱交換器、１５は除湿用絞り部、１６は第２の熱交換器、１７は室外側ファン、１８は室内側ファンである。
【０００６】
冷房時および除湿時は図において矢印の如く冷媒が流れて冷凍サイクルが形成される。
【０００７】
そして、冷房時は、絞り部１３は絞りを形成し、除湿用絞り部１５は開放する。
【０００８】
このため、冷凍サイクルにおいて絞り部１３の上流側、即ち、圧縮機１０から四方弁１１、室外側熱交換器１２、絞り部１３に至る区間は高温となり、一方絞り部１３の下流側、即ち、絞り部１３から第１の室内側熱交換器１４、除湿用絞り部１５、第２の室内側熱交換器１６、四方弁１１、圧縮機１０に至る区間は低温になり、このときの低温部が雰囲気の露点温度を下回れば、その部位に結露が生じる。
【０００９】
また、除湿時は絞り部１３を開放し、除湿用絞り部１５は絞りを形成する。このため、冷凍サイクルにおいて除湿用絞り部１５の上流側、即ち、圧縮機１０から四方弁１１、室外側熱交換器１２、絞り部１３、第１の室内側熱交換器１４、除湿用絞り部１５に至る区間は高温となり、一方除湿用絞り部１５の下流側、即ち、除湿用絞り部１５から第２の室内側熱交換器１６、四方弁１１、圧縮機１０に至る区間は低温になり、このときの低温部が雰囲気の露点温度を下回れば、この部位に結露が生じる。
【００１０】
この結露を防止する為に、図６に示す如く発泡スチロール製の断熱性を有する部品６を室内ユニットの筐体内の壁面に貼付して、筐体の外壁面との断熱を行っていた。
【００１１】
このため、上記発泡スチロールを用いた従来の分離型空気調和機の室内ユニットの断熱構造では、環境保護の観点から脱・発泡スチロールを堆進する上で問題を有していた。
【００１２】
また、部品点数・工数・コストの低減という観点からも問題を有していた。
【００１３】
また、室内ユニットの配管部３ａに結露した結露水が筐体内部を下方へ流下するときに、周辺部品に当たって異音を発生させる可能性があった。
【００１４】
【発明が解決しようとする課題】
本発明は上記する問題点に鑑み、環境破壊の一因となる発泡スチロールの使用を抑制することを目的とするものである。
【００１５】
また、本発明は部品点数・工数・コストを増大させることなく、断熱効果を奏し、空気調和機の室内側の筐体内部に発生した結露水をスムーズにドレーンホースを通じて外部に流出させ、前記筐体内部に滞留する結露水を除去し、なお且つ、同筐体表面における結露を防止することを目的とするものである。
【００１６】
また、本発明は、室内側の筐体内部に発生した結露水が筐体内部を流下する時に、流下経路の構造体に当たって発生する異音を緩和しようとするものである。
【００１７】
【課題を解決するための手段】
上記課題を解決するために本発明の請求項１に記載の発明は、室内側熱交換器および室内側熱交換器から延出し且つ室外側と接続され冷媒が流動する配管部からなる室内側冷凍サイクル部と、前記室内側冷凍サイクル部を懸下し支持する台枠と、室内側空気吸込み口と、前記室内側熱交換器と前記台枠と前記吹出し口から構成される室内側風回路と、制御装置から構成される空気調和機において、前記配管部の近傍に、結露水を受けて流下する第１の壁面を、その長手方向が地面に対し略鉛直方向で、且つ前記台枠の側壁と距離をおいて設けたものである。
【００１８】
これにより発砲スチロール材や他の断熱材を使用することなく結露部分と筐体外壁面の断熱効果を奏することができ、筐体外壁面の結露を防止することができる。
【００１９】
また、請求項２に記載の発明は、結露水を受けて流下する第１の壁面の一部に切欠き部を設けたものである。
【００２０】
これにより室内側の筐体内の配管部分からの結露水を受けて排出する壁面に結露水を滞留させず、スムーズに流出除去でき、筐体外壁面の冷却を抑え、結露を防止できる。
【００２１】
また、請求項３に記載の発明は、結露水を受けて流下する第１の壁面の下方に位置し、前記第１の壁面からの結露水を受けて流下する第２の壁面を設けたものである。
【００２２】
これにより、発砲スチロール材や他の断熱材を使用することなく、結露部分と筐体外壁面の間の断熱効果を奏することが出来、結露を防止することができる。
【００２３】
また、請求項４に記載の発明は、結露水を受けて流下する第１の壁面の下方に位置し、前記第１の壁面からの結露水を受けて流下する第２の壁面で結露水が流下する経路の途中に、前記結露水の流下速度を低下させる面状部を第２の壁面に一体に形成したものである。これにより、結露水の流下時に発生する異音を緩衝することができる。
【００２４】
【発明の実施の形態】
以下、除湿機能を有する分離型空位調和機を例にとり、本発明の実施の形態について図面を参照して説明する。
【００２５】
図１および図２は、本発明の室内側ユニットの右端近傍部分を示したものである。
【００２６】
図２は、図１に対し室内側熱交換器２・配管部３ａ・吹出しグリル７を取外したものである。
【００２７】
両図ともに、図の手前が室内ユニット前面で、奥が室内ユニット背面である。
【００２８】
室内ユニットに内蔵される室内側熱交換器２および配管部３ａは図１の紙面の前面から挿入され、図１に示す如く組み込まれる。
【００２９】
熱交換器２は、多数のアルミフィンと、このアルミフィンを貫通する多数の直管の銅管から構成されており、なお且つ、この多数の銅管は、熱交換器が所定の熱交換能力を発揮するように、熱交換器内をある流路で冷媒が流れるように組まれている。
【００３０】
このため、熱交換器２の左右には、前記直管の銅管を互いに連結するＵ字管やマニホールドが接続されている。
【００３１】
特に熱交換器の向かって右側は複雑な配管レイアウトを持つ配管部３ａが形成され、除湿用絞り部３も、この位置近傍に配設されることが多い。
【００３２】
また、図２において、１は台枠、２ａは台枠背面内側壁、１ａは配管からの結露水を受けて流下する第１の壁面である。
【００３３】
図１乃至図２において、冷房時・除湿時は、従来の技術で説明した如く、熱交換器２および配管部３ａが、冷媒の作用により冷却されるので結露水が付着する。
【００３４】
この状態が継続すると、前記結露水は増加し、やがて自身の重量に耐えられず、滴下する。
【００３５】
特に、図１に示す如く、前記配管部３ａの途中に除湿用絞り部３を搭載する構成であると、除湿用絞り部３は、その寸法のために配管部３ａより突出したレイアウトで配設されることが多いため、結露水が除湿用絞り部３の下に広がる空間を落下し、直接下部の構造体に滴下し易い。
このため、他の配管部等を伝って流下する場合に比較して結露水の落下速度が大きくなる傾向にあり、下の構造体に滴下した際、飛沫状となって周囲に飛散り易い。
【００３６】
その結果、周囲に飛散した水滴が流下し、室内ユニットの筐体の隙間等から部屋の床面に滴下するといった支障が生じる場合がある。
【００３７】
したがって、前記除湿用絞り部３およびその周囲の配管部３ａに付着する結露水の滴下水を如何に処理するかが重要である。
【００３８】
また、前記の如く、除湿用絞り部３および配管部３ａは、温度が低いため、熱伝達によって、その周囲の構造体が冷却され、この状態が継続すると、やがて室内側ユニットの筐体の外壁面まで冷却され、その温度が室内雰囲気の露点以下まで冷却され、前記筐体の外壁面に結露水が付着し、やがて部屋の床面に滴下するといった支障が生じる。
【００３９】
そこで、本発明の実施の形態は、図１乃至図２に示す如く、前記熱交換器から延出する配管部３ａの近傍に、結露水を受けて流下する第１の壁面１ａを、その長手方向が地面に対し略鉛直方向になるように設け、この壁面１ａを前記台枠の側壁と距離をおいて台枠と一体に成形したものである。
【００４０】
この構成により、配管部３ａあるいは除湿用絞り部３による冷却に対し、第１の壁面１ａが障壁となり、筐体の外壁面が冷却されるのを防止し、前期筐体の外壁面への結露水の付着を防止することができる。
【００４１】
また室内側熱交換器から延出する配管部３ａならびに除湿用絞り部３からの結露水の滴下を第１の壁面１ａが受け、結露水の飛散を防止し、なお且つスムーズに流下して、内部での結露水の滞留を防止することができる。
【００４２】
次に、図３は本発明の実施の形態において、第１の壁面１ａに切欠き部を設けた場合の詳細を示した図である。
同図は台枠１を室内ユニットの右方向から見たもので、図の左側が室内ユニット前面、右側が室内ユニット背面である。
【００４３】
この台枠１の第１の壁面１ａの一部に切欠き１ｂを設ける。
【００４４】
これにより第１の壁面１ａで受けた結露水が、その表面張力等によって第１の壁面１ａに滞留するのを抑え、切欠き１ｂから速やかに流下し、熱伝達・熱伝導による室内ユニットの筐体の外壁面への結露を防止することができる。
【００４５】
また、図４は室内ユニットの吹出し口近傍の構造を構成する吹出しグリル７であり、同図は、吹出しグリル７を右方向から見た図である。
【００４６】
図において、４ａは第１の壁面１ａの下方に位置し、第１の壁面１ａからの結露水を受ける第２の壁面である。
第１の壁面１ａの下縁と第２の壁面４ａの上縁は、適当な寸法のラップ代をもって、上下に対峙しており、第１の壁面１ａを伝って落下した結露水は、第２の壁面４ａに跳ね水することなく丁度導入されるように設置されている。
【００４７】
さらに、第２の壁面４ａは、室内ユニットの筐体から、適当な距離をなして設けられているため、室内側ユニットの筐体との熱伝導を抑え、室内ユニットの筐体の外壁面が冷却され結露するのを防止することができる。
さらに吹出しグリル７には、その直上に配設される室内側熱交換器２や配管部３ａからの結露水を一旦溜めておく水受け皿５が一体形成されており、ドレーン口８へと結露水が流れるようになっている。
【００４８】
前述の如く、結露水は室内側熱交換器２から延出する配管部３ａおよび除湿用絞り部３の表面に付着し流下し、この結露水は第１の壁面１ａで受け、切欠き１ｂを通過し、下方へ滴下する。
【００４９】
そして、図４に示した第２の壁面４ａへ導入され、内部の間隙４ｃ（図５に図示）を伝って流下する。
【００５０】
このような構成とすることにより、室内側熱交換器２から延出する配管部３ａおよび除湿用絞り部３で発生した結露水が一箇所に滞留せず、また、跳ね水することなくスムーズに水受け皿まで導かれ、室内ユニットの筐体の外壁面の結露を防止することができる。
【００５１】
また、図５は、室内ユニットの吹出し口近傍の構造を構成する吹出しグリル７を示したものであり、同図は吹出しグリル７右端近傍の正面からの図である。
【００５２】
４ｂは面状部、４ｃは面状部４ｂの中に設けられた間隙である。吹出しグリル７には、熱交換器２や、配管部３ａからの結露水を一旦溜めておく水受け皿５が一体成形されており、ドレーン口８へと結合されている。
【００５３】
面状部４ｂは、間隙４ｃを流下する結露水の流路の途中に、丁度結露水の流下を妨げるように
設けられている。
【００５４】
そしてなお且つ、せき止められた結露水は、完全に停止したり間隙４ｃからオーバーフローすることのないよう、適当な隙間をもって間隙４ｃの中に設けられている。
前述の如く結露水は、室内側熱交換器２から延出する配管部３ｂおよび除湿用絞り部３の表面に付着し、滴下する。
【００５５】
そして、この結露水は、第２の壁面４ａに設けられた間隙４ｃへ導かれ、この間隙４ｃを通過する際、前記間隙４ｃの途中に設けられた面状部４ｂに衝突し、落下速度が減じられ、さらに下方に流下する。
【００５６】
この落下速度の減速により、落下時の水滴の運動エネルギーが減殺され、水受け皿に溜まっている水への滴下による滴下音や、他の構造物への結露水の衝突音を緩和することができる。
【００５７】
【発明の効果】
本発明は以上説明したように構成されているので、以下に記載する効果を奏する。
【００５８】
即ち、本発明によれば、室内側熱交換器から延出する配管部近傍の位置に、室内側ユニットの筐体の外壁面と距離をおいて第１の壁面を設けたことにより、発泡スチロール等の環境負荷の高い材料を用いることなく、室内側ユニットの筐体の外壁面と、内部の冷却され結露水の付着した部分の断熱効果を奏し、筐体の外壁面での結露を防止し、前記筐体内部に発生した結露水をドレーン口から筐体外部へスムーズに排出することができる。
【００５９】
また、本発明によれば、前記室内側ユニットの前記第１の壁面の一部に、切欠き部を設けることにより、前記筐体内部に発生した結露水のさらにスムーズな除去ができる。
【００６０】
また、本発明によれば、前記第１の壁面の下方に、第２の壁面を形成したことにより、発泡スチロール等の環境負荷の高い材料を用いることなく、室内側ユニットの筐体の外壁面と、内部の冷却され結露水の付着した部分の断熱効果を奏し、筐体の外壁面での結露を防止し、前記筐体内部に発生した結露水のさらにスムーズな除去ができる。
【００６１】
また、本発明によれば、前記室内側ユニットの第２の壁面の間隙部分で、結露水の流下経路に面状部を一体に形成したことにより、前記筐体内部に発生した結露水が流下時に発生する異音を緩和することができる。
【００６２】
なお、前記実施の形態では第１の壁面・第１の壁面の切欠き部・第２の壁面・第２の壁面の面状部をあわせて実施した場合について説明したが、各々を独立して実施しても同様の効果が得られる。
【００６３】
また、本発明では分離型空気調和機について説明したが、ウインドウ型空気調和機や、天吊り型空気調和機でも、本発明の技術的範囲を逸脱せず、同様の効果が期待できる。
【図面の簡単な説明】
【図１】本発明の実施形態を示す室内ユニットの要部の正面図
【図２】本発明の台枠の要部正面図
【図３】本発明の台枠の要部側面図
【図４】本発明の実施形態を示す吹出口の要部正面図
【図５】本発明の吹出口の側面図
【図６】従来例の室内ユニットの要部正面図
【図７】従来例の冷凍サイクルの回路図
【符号の説明】
１　台枠
１ａ　第１の壁面
１ｂ　切欠き部
２　　熱交換器
３　　除湿用絞り部
３ａ　配管部
４　　吹出口
４ａ　第２の壁面
４ｂ　面状部
４ｃ　間隙
５　　水受皿
６　　発泡スチロール製保護部品
７　　吹出しグリル
８　　ドレーン口
【図１】
2004036939.tif 000003
【図２】
2004036939.tif 000004
【図３】
2004036939.tif 000005
【図４】
2004036939.tif 000006
【図５】
2004036939.tif 000007
【図６】
2004036939.tif 000008
【図７】
2004036939.tif 000009